【事件の表示】
　上記当事者間の特許第４１５５７０８号「球技用ボール」の特許無効審判事件についてされた平成２２年　１月　７日付け審決に対し、東京高等裁判所において審決取消の判決（平成２２年（行ケ）第１０１６２号平成２３年　２月２４日判決言渡）があったので、さらに審理のうえ、次のとおり審決する。
【結　論】
　本件審判の請求は、成り立たない。
　審判費用は、請求人の負担とする。
【理　由】
第１　手続の経緯の概要
　本件特許第４１５５７０８号に係る手続の経緯は以下のとおりである。
平成１０年　５月２２日　特願平１０−１４１８８２号（基礎出願）出願
平成１１年　５月２０日　ＰＣＴ／ＪＰ１９９９／０２６６７号（特願２０
　　　　　　　　　　　　００−５５０５６５号）出願（優先権主張平成１
　　　　　　　　　　　　０年５月２２日、日本国）
平成１２年１０月１９日　国内書面提出
平成１９年１１月　５日　手続補正（特許請求の範囲全文及び明細書全文）
平成２０年　４月１１日　手続補正（特許請求の範囲全文、他）
平成２０年　７月１８日　本件特許第４１５５７０８号の設定の登録 
 　　　　　　　　　　　　（請求項数１０）
平成２１年　２月１３日　モルテックス　リミティドより本件無効２００９
　　　　　　　　　　　　−８０００２５号審判請求（以下「本件審判」と
　　　　　　　　　　　　いう。請求項１ないし４、６ないし９に係る発明
　　　　　　　　　　　　についての特許を無効とすることを求めるもので
　　　　　　　　　　　　ある。）
平成２１年　６月　９日　答弁書
平成２１年１０月　９日　口頭審理陳述要領書（請求人）
平成２１年１０月　９日　口頭審理陳述要領書（被請求人）
平成２１年１０月　９日　口頭審理 
平成２１年１１月３０日　上申書（請求人）
平成２１年１１月３０日　上申書（被請求人）
平成２２年　１月　７日　審決（平成２２年１月１９日送達。）
　
第２　本件特許発明
 　本件特許発明は、本件特許第４１５５７０８号（以下「本件特許」という。）の特許明細書の特許請求の範囲の請求項１ないし１０に記載された次のとおりのものである。
 「【請求項１】
 圧搾空気が封入された球形中空体の弾性チューブと、
 該チューブ表面全面に形成された補強層と、
 該補強層上に直接またはカバーゴム層を介して接着された複数枚の皮革パネルとを備えた球技用ボールにおいて、
 前記皮革パネルは、その周縁部が前記弾性チューブ側に折り曲げられる折り曲げ部を有し、前記皮革パネルの折り曲げ部にて囲まれた前記皮革パネルの裏面に、厚さを調整する厚さ調整部材が接着せしめられ、
 前記皮革パネルの折り曲げ部に設けられる接合部において、隣接する皮革パネルと接着されてなる球技用貼りボール。
 　【請求項２】
 前記皮革パネルの周縁部が内側へ略１８０度折り込まれてなる請求項１記載の球技用貼りボール。
 　【請求項３】
 前記皮革パネルの周縁部が内側へ略９０度折り曲げられてなる請求項１記載の球技用貼りボール。
 　【請求項４】
 前記皮革パネルの折り込まれた部分に、切り込みが形成されてなる請求項２記載の球技用貼りボール。
 　【請求項５】
 前記厚さ調整部材が織布よりなる請求項１、２、３または４記載の球技用貼りボール。
 　【請求項６】
 前記厚さ調整部材が衝撃緩衝部材よりなる請求項１、２、３または４記載の球技用貼りボール。
 　【請求項７】
 前記厚さ調整部材が、織布と衝撃緩衝部材の積層構造からなる請求項１、２、３または４記載の球技用貼りボール。
 　【請求項８】
 前記衝撃緩衝部材が発泡材、不織布、嵩高織物又はハニカム構造部材よりなる請求項６または７記載の球技用貼りボール。
 　【請求項９】
 前記皮革パネルと前記厚さ調整部材の間に補強層が介在せしめられてなる請求項１、２、３、４、５、６、７または８記載の球技用貼りボール。
 　【請求項１０】
 前記補強層が、ポリエステルフィルム、ＰＶＣフィルム、ポリエチレンフィルム、ポリプロピレンフィルムのいずれかよりなる請求項９記載の球技用貼りボール。」（以下、請求項１ないし１０に係る発明を、それぞれ「本件特許発明１」ないし「本件特許発明１０」という。）
　
第３　請求人が主張する無効理由及び被請求人の主張
１　請求人が主張する無効理由
 　請求人が主張する無効理由は概略次のとおりである。
（１）無効理由１
　本件特許発明１は、本件出願前に頒布された仏国特許出願公開第２４４３８５０号明細書（甲第３号証）及び独国特許出願公開第１９６１９７９６号明細書（甲第４号証）に記載された発明に基づいて、又は甲第３号証に記載された発明及び周知技術（周知例として、実公昭３３−１６１９号公報（甲第５号証）、実公昭３８−１６７２９号公報（甲第６号証）、登録実用新案第５５９６７号明細書（甲第７号証）及び実願昭５６−１５３７０３号（実開昭５８−５８０９８号）のマイクロフィルム（甲第８号証）を提示。）に基づいて、当業者が容易に発明をすることができたものであるから、特許法第２９条第２項の規定に違反して特許されたものである。よって、本件特許発明１は、同法第１２３条第１項第２号に該当し、無効とすべきである。
（２）無効理由２
　本件特許発明２は、本件出願前に頒布された甲第３号証、甲第４号証及び甲第７号証に記載された発明に基づいて、又は甲第３号証及び甲第７号証に記載された発明並びに周知技術（周知例として、甲第５号証ないし甲第８号証を提示。）に基づいて、当業者が容易に発明をすることができたものであるから、特許法第２９条第２項の規定に違反して特許されたものである。よって、本件特許発明２は、同法第１２３条第１項第２号に該当し、無効とすべきである。
（３）無効理由３
　本件特許発明３は、本件出願前に頒布された甲第３号証、英国特許第１５５５６３４号明細書（甲第９号証）及び甲第４号証に記載された発明に基づいて、又は甲第３号証及び甲第９号証に記載された発明並びに周知技術（周知例として、甲第５号証ないし甲第８号証を提示。）に基づいて、当業者が容易に発明をすることができたものであるから、特許法第２９条第２項の規定に違反して特許されたものである。よって、本件特許発明３は、同法第１２３条第１項第２号に該当し、無効とすべきである。
（４）無効理由４
　本件特許発明４は、本件出願前に頒布された甲第３号証、甲第４号証、甲第６号証及び甲第７号証に記載された発明に基づいて、又は甲第３号証、甲第６号証及び甲第７号証に記載された発明並びに周知技術（周知例として、甲第５号証ないし甲第８号証を提示。）に基づいて、当業者が容易に発明をすることができたものであるから、特許法第２９条第２項の規定に違反して特許されたものである。よって、本件特許発明４は、同法第１２３条第１項第２号に該当し、無効とすべきである。
（５）無効理由５
　本件特許発明６は、本件出願前に頒布された甲第３号証、甲第４号証及び実公昭３０−１０６１２号公報（甲第１０号証）に記載された発明に基づいて、又は甲第３号証及び甲第１０号証に記載された発明並びに周知技術（周知例として、甲第５号証ないし甲第８号証を提示。）に基づいて、当業者が容易に発明をすることができたものであるから、特許法第２９条第２項の規定に違反して特許されたものである。よって、本件特許発明６は、同法第１２３条第１項第２号に該当し、無効とすべきである。
（６）無効理由６
　本件特許発明７は、本件出願前に頒布された甲第３号証、甲第４号証、及び実願平３−５９５６０号（実開平５−５１５７号）のＣＤ−ＲＯＭ（甲第１１号証）に記載された発明に基づいて、又は甲第３号証及び甲第１１号証に記載された発明並びに周知技術（周知例として、甲第５号証ないし甲第８号証を提示。）に基づいて、当業者が容易に発明をすることができたものであるから、特許法第２９条第２項の規定に違反して特許されたものである。よって、本件特許発明７は、同法第１２３条第１項第２号に該当し、無効とすべきである。
（７）無効理由７
　本件特許発明８は、本件出願前に頒布された甲第３号証、甲第４号証、甲第１０号証及び甲第１１号証に記載された発明に基づいて、又は甲第３号証、甲第１０号証及び甲第１１号証に記載された発明並びに周知技術（周知例として、甲第５号証ないし甲第８号証を提示。）に基づいて、当業者が容易に発明をすることができたものであるから、特許法第２９条第２項の規定に違反して特許されたものである。よって、本件特許発明８は、同法第１２３条第１項第２号に該当し、無効とすべきである。
（８）無効理由８
　本件特許発明９は、本件出願前に頒布された甲第３号証、甲第４号証及び甲第１１号証に記載された発明に基づいて、又は甲第３号証及び甲第１１号証に記載された発明並びに周知技術（周知例として、甲第５号証ないし甲第８号証を提示。）に基づいて、当業者が容易に発明をすることができたものであるから、特許法第２９条第２項の規定に違反して特許されたものである。よって、本件特許発明９は、同法第１２３条第１項第２号に該当し、無効とすべきである。
　
２　被請求人の主張 
 　上記１の請求人が主張する無効理由１ないし８に対し、被請求人は、本件特許発明１ないし４、６ないし９は、特許法第２９条第２項の規定に違反して特許されたものではなく、特許法第１２３条第１項第２号の規定に該当せず、本件特許発明１ないし４、６ないし９の特許は無効とすべきものではない旨主張している。
　
第４　証拠
１　請求人は、証拠方法として、本件審判請求と同時に以下の甲第１号証ないし甲第１１号証を、平成２１年１０月９日付けの口頭審理陳述要領書に添付して以下の甲第１２号証ないし甲第１８号証並びに甲第３号証、甲第４号証及び甲第９号証の翻訳文を、同年１１月３０日付けの上申書に添付して参考資料１及び参考資料２を、それぞれ提出している。
　甲第１号証　平成２０年４月１１日付けの意見書 
　甲第２号証　平成２０年４月１１日付けの手続補正書 
　甲第３号証　仏国特許出願公開第２４４３８５０号明細書 
　甲第４号証　独国特許出願公開第１９６１９７９６号明細書 
　甲第５号証　実公昭３３−１６１９号公報 
　甲第６号証　実公昭３８−１６７２９号公報 
　甲第７号証　登録実用新案第５５９６７号明細書 
　甲第８号証　実願昭５６−１５３７０３号（実開昭５８−５８０９８号）
　　　　　　　のマイクロフィルム 
　甲第９号証　英国特許第１５５５６３４号明細書 
　甲第１０号証　実公昭３０−１０６１２号公報 
　甲第１１号証　実願平３−５９５６０号（実開平５−５１５７号）のＣＤ
　　　　　　　　−ＲＯＭ 
　甲第１２号証　実願昭５８−７６６４９号（実開昭６０−２５６４８号）
　　　　　　　　のマイクロフィルム 
　甲第１３号証　実公昭２７−３９０８号公報 
　甲第１４号証　理工学辞典７１１〜７１２頁及び奥付 
　甲第１５号証　甲第３号証に対する翻訳者の宣誓書 
　甲第１６号証　小学館　独和大辞典１４７２〜１４７３頁及び奥付 
　甲第１７号証　小学館　独和大辞典１８８４頁 
　甲第１８号証　小学館　独和大辞典１８４頁 
　
２　被請求人は、証拠方法として、答弁書と同時に以下の乙第１号証を、平成２１年１０月９日付けの口頭審理陳述要領書に添付して以下の乙第２号証ないし乙第３号証を、同年１１月３０日付けの上申書に添付して以下の乙第４号証を、それぞれ提出している。
　
　乙第１号証　独国特許出願公開第１９６１９７９６号明細書（甲第４号証
　　　　　　　）の全文和訳文 
　乙第２号証　仏国特許出願公開第２４４３８５０号明細書（甲第３号証）
　　　　　　　の全文和訳文 
　乙第３号証　英国特許第１５５５６３４号明細書（甲第９号証）の全文和
　　　　　　　訳文 
　乙第４号証　特開平９−１９５１６号公報 
　
第５　甲第３号証ないし甲第１１号証の記載事項 
　甲第３号証ないし甲第１１号証には、それぞれ以下の記載がある（下線は審決で付した。）。
１　甲第３号証（仏国特許出願公開第２４４３８５０号明細書）
 （括弧内に訳文を付した。）
（１）「
」（１頁１行〜１９行）
（本発明は、
サッカー、バスケット及び様々なチームスポーツに利用されるスポーツボールに関する
　
一般に、こうしたボールは、縫合された断片で形成された外側の皮革外被材と、外被材の中に収容された膨張可能な空気袋とからなる
　
かかるボールは、
手工業的に手作業で製造されるため高価である
　
縫い目に似せた隆起部分を付与しようとの試みで縁端が装飾された皮革片を、空気袋の上に直接接着することによってかかるボールを工業的に製造することが考案されたが、
皮革片の接着が剥がれるリスクを回避する空気袋を実現しなければならない
その外表面は、縫合されたボールと比べて低い隆起しか有しない
（２）「
」（１頁２０行〜３３行）
（
本発明の目的の一つは、手工業的に実現されたボールの外観を有
ボールを工業的に実現すること
　本発明に係るボールは、
膨張可能な空気袋と、空気袋の表面に固着された皮革片からなる外被材とを備えるタイプのものであり、皮革片が、空気袋の側に向くよう定められた面において椀部を形成するように構成され、この椀部に、柔軟で弾性を有する材料が詰め込まれる
　好ましくは、空気袋の外表面は基材で被覆される。
　好ましくは、柔軟で弾性を有する材料は多孔質である。）
（３）「
」（２頁２８行〜３４行）
（図１は、バルブ又は空気注入用ノズル（図示せず）が装着された空気袋１を図示する。この柔軟で弾性を有する空気袋は、例えば回転成形によって実現される
。膨張させた空気袋１の上に
熱重合性若しくは非熱重合性プラスチック材料か、又は単に接着剤を含浸した糸２が一様に巻回され
被覆材１０が実現
（４）「
」（３頁１８行〜３８行）
（
皮革要素８は
四角形、六角形、又は他の形状を取り、且つ、
発泡ＰＶＣ
　種々の要素８は、
空気袋１の被覆材１０の全表面を覆い尽くすように、互いに突き当てられるように置かれ、被覆材１０は、事前に接着剤を付与されるか、又は要素８の熱溶着か、あるいは非熱溶着が可能な材料が塗布され
　このように得られたボールが、空気注入用の針１５と共に、２つの部品１３及び１４を有する成形形１２の中に置かれる。成形型１２の押し型１６は球形であり、流動性材料の厚さ１７を備える。
　バルブを介し、針１５を通じてボールの中に所定の圧力の空気が送り込まれることで、要素８が材料１７を圧迫し、材料１７は、その性質によって要素８の外径全体に適合し、
要素８が被覆材１０と
一体に連結される
（５）「
」（４頁４行〜７行）
（次にボールが成形型１２から抜き出され、完了する。かかるボールは
非常に耐久性が高く、完全に仕上げられた外観を呈し、且つ手工業的に実現されたボールにきわめて類似した表面を呈する
（６）Ｆｉｇ．４及びＦｉｇ．６から、皮革要素８の
椀部の形状として、皮革要素８の中心部ではゆるやかな曲線であり周縁端部近くではより急カーブの曲線で、この急カーブな曲線領域から端に至る領域ではゆるやかな曲線あるいは直線であって、空気袋１側が凹面になるように曲がっている断面
隣接する皮革要素８同士はその周縁端部のみで接触している
皮革要素８はその裏面である凹面に完全に接着している材料１１により前記被覆材１０に接着している
　
２　甲第４号証（独国特許出願公開第１９６１９７９６号明細書）
 （括弧内に訳文を付した。）
（１）「
」（１欄３行〜２５行）
（本発明は、
周縁部において互いに接続された、特に縫合された多数の個々の要素からなるボールカバー
　そのような
ボールのカバーに
内側に空気注入式のブラダーが設けられており
サッカーボールとして用いられる
　本発明の課題は、上述したタイプの
ボールカバーにおいて、吸水をできるだけ簡素でかつ低廉に低減させることができるように
　この課題は、
隣接する個々の要素の接合面間にシーリング部材を設けること
（２）「
」（３欄４１行〜４欄２行）
（図１に示すのは、互いに周縁部で縫い合わされた五角形のパネルと六角形のパネル２又は３である。
パネル２及び３には、その周縁部に、内側への折り曲げ部４があり、その外側が接合面５となっており、隣接する個々の要素１は、この部分で互いに接合されている
　図２には、この接合されている部分がはっきりと示されている。
隣接する個々の要素１の部位４の接合面５の間には、シーリング手段６が設けられ、
部位４のところで糸７によって結合されている
　図３に示すバリエーションでは、シーリング手段６は、隣接する個々の要素１の互いに接合する面５の間の空間を完全に満たしている。この形態は、特に、シーリング手段６として、加熱及び／又は加圧によって流動性を生じる素材を用いることによって達成される。この場合もシーリング手段６は、この
要素１を縫い合わせる
個々の要素１を縫い合わせる
（３）Ｆｉｇ．３から、パネルの個々の要素１の折り曲げ部４は、パネルの隣接する個々の要素１の周縁部を内側へ
略９０度
　
 ３　甲第５号証（実公昭３３−１６１９号公報）
（１）「本案は革貼りバレーボールに係る考案である。即ち図面に示す如く、芯体となるゴムチューブ１の表面を布、糸等よりなる整形層２で被包し、更に、その上を適宜の形状をなす皮革片３で被包するに際し、各皮革片の周縁部のみに接着剤を塗布し接着被包した革貼りバレーボールの構造である。従来の革貼りバレーボールに於ては表面の皮革片３はその裏面全体に接着剤を塗布し、之を整形層２の表面と密着被包してあるため、外観は革製バレーボールと異るところなきも、使用時に於ける感触は革製バレーボールと著しく異り、全くゴム製バレーボールを取扱つている感あり、選手に不快感を与え試合の興味を半減せしめる欠点あり。
　然るに本案に於ては上述の如く、バレーボールの全表面を被包する各皮革片３は、その周縁部のみにて整形層２に密着被包されている為、表面皮革の大部分は従来の革製バレーボールと同じく、整形層２と遊離し、チューブ１内の空気圧により整形層２と密接しているため、従来の革製バレーボールと全く異る事なく、その手触は謂うに及ばず、使用時に於ける感触即ちサーブ或はリシーブ時に於ける感触は全く従来の革製バレーボールと同一にして、使用者に満足感を与えるのみならず、ボールが損傷した場合（例えば釘等でボールに孔のあいた時等）にはその部分の皮革片を剥ぎとり芯体を修理したる後に新しい皮革片を接着して補修するに著しく便利である等の特徴を有するものである。」（１頁左欄５行〜同頁右欄１４行）
（２）「登録請求の範囲 
　図面に示す如く、
チューブ１の表面を整形層２で被包し、更にその上を皮革片３で被包する
（３）第２図から、整形層２に
皮革片３を接着するために皮革片３の周縁部のみに塗布された接着剤４が、皮革片３の周縁部と整形層２との間ばかりでなく、隣接する皮革片３の周縁部の端面同士の間にもその間隙を埋めるように存在している
　
 ４　甲第６号証（実公昭３８−１６７２９号公報）
（１）「それぞれの折返し片２、３の外側縁より連接部に向つて
山形の切込６、７を設け
（２）「皮革素子１ａと１ｂとにそれぞれ形成した耳と透孔を交互に咬み合わせて
皮革素子１ａ，１ｂと残りの各々皮革素子１ｃ，１ｄ，……１ｎをもつて球体を構成するように接合端面を互いに接近させて組合せ、これら皮革素子１の接合面を
薄帯９をもつて皮革素子１の内周面よりその接合部分に跨がるように前記接着剤８にて順次貼着し
この際に隣合せの各々の皮革素子間に
合成樹脂接着剤１２を充填させて接合する
　
 ５　甲第７号証（登録実用新案第５５９６７号明細書）
（１）「
皮革片（イ）（イ）ノ
球状袋トナシテ其内部ノ縫代部ハ割リテ折返シ
（２）「（ハ）ハ
（イ）（イ）ノ各縫合部内方ヲ割リテ折リ返シ
（ヘ）ハ収容シタル「ゴム」球袋
（３）第三図から、
皮革片（イ）が端部で略１８０度折返され
（審決注：便宜上、旧字体の漢字は常用漢字で表記した。）
　
 ６　甲第８号証（実願昭５６−１５３７０３号（実開昭５８−５８０９８号）のマイクロフィルム）
 「従来からビニール片などを溶着して繋ぎ合せたビーチボール或いは景品用などのバルーンが多数提供されている。これらの一般的な製法はビニール片の側端部同士を折り曲げて重ね合せ、この部分を高周波ウエルダーによつて溶着したり、或いは溶着部分を外部から見えないようにして体裁よくするには、予じめある程度大きな孔部を残しておき、全ての側端部を溶着した後上記孔部を介して裏・表を逆にし、バルーンの内部に溶着部を隠すようにしている。」（１頁２０行〜２頁９行）
　
 ７　甲第９号証（英国特許第１５５５６３４号明細書）
 （括弧内に訳文を付した。）
（１）「This invention relates to sportsballs. 
 It has previously been proposed to produce a sportsball having a hollow core or bladder of reinforced rubber on the surface of which leather, or synthetic leather, panels are secured by adhesive to provide the “feel” and appearance of a sewn leather ball. Such sportsballs do not have the local flexibility when kicked that sewn leather balls have and are not acceptable for use in high class games. 
 The present invention aims to provide a sportsball which acts more like a sewn leather sportsball than the above-mentioned previously proposed sportsballs do.」（１頁９行〜２３行）
（本発明はスポーツボールに関する。
　強化ゴムの中空コア又はブラダーを有するスポーツボールを製造することが以前に提案されており、スポーツボールの表面には、縫合革製ボールの「感触」及び外観を提供するために、皮革、又は合成皮革、パネルが接着剤によって固定される。このようなスポーツボールは、縫合革製スポーツが蹴られたときに有する局所的な可撓性を有せず、一流のゲームに使用するには受け入れられない。
　本発明は、上述の以前に提案されたスポーツボールよりも縫合革製スポーツボールのように作用するスポーツボールを提供することを目的とする。）
（２）「The panels 2 are each formed with in-turned edge portions 4 which in the case of knife-cut panels are turned in by compression in the presence of steam and in the case of flowmoulded panels are produced in the flowmoulding process.」（２頁４行〜１０行）
（パネルの各々は、内側に曲がった縁部部分４が形成されており、これらの縁部部分は、ナイフで切断されたパネルの場合、蒸気の存在下で圧縮によって内側に曲げられ、また流動成形されたパネルの場合、流動射出成形工程で製造される。）
（３）「The above-described ball has…略…．
　It also has the following advantages over previously proposed balls having a bladder with panels secured thereto,…略…and that the contoured surface of the ball and the hidden panel edges provide an appearance very similar to a hand-sewn ball.」（２頁７８行〜９６行）
（上述のボールは、…略…。
　上述のボールはまた、パネルがブラダーに固定された当該ブラダーを有する以前に提案したボールと比べ、次の利点を有し、…略…、そしてボールの起伏ある表面及び隠れたパネル縁部により、手縫いボールに非常によく似た外観が提供される。）
（４）ＦＩＧ．１．及びＦＩＧ．２．から、ナイフで切断して折り曲げることで形成されたパネル２の縁部部分４が内側に曲がっている角度は、略９０度であることが見て取れる。
　
 ８　甲第１０号証（実公昭３０−１０６１２号）
 「５は独立起泡を有するスポンヂゴムの緩衝帯にして最初適油の厚みのスポンヂゴム板を約１ｍｍ前後に剥き之に表皮革６（厚さ約１ｍｍ）の表面に強力接着剤にて貼合せたものを所定の球の１２等分の面積、即ち凸起区劃紐４にて区劃された扇形状に切断しよく接着するために其の周縁先端部から５ｍｍ程度を１６０度位の角度に剥きたるものを表面が皮革になる様に凸起区劃紐４で区劃された前記球３の表面に強力接着剤にて貼着し加圧加硫して一体と成す構造である。されば本考案は、・・・スポンヂゴム５は緩衝帯にして球技上レシーブ及スパイク等の際、指先、掌、腕、肩に生ずるショックを緩和す。」（１頁左欄３１行〜同頁右欄１２行）
　
 ９　甲第１１号証（実願平３−５９５６０号（実開平５−５１５７号）のＣＤ−ＲＯＭ）
（１）「【請求項１】 圧搾空気が封入される球形中空体のゴム製チューブ、該チューブを被覆して形成された複数枚の人工皮革パネルを縫い合わせてなる表面層を具備してなる球技用ボールのための人工皮革パネルであって、該人工皮革パネルは、外側から合成樹脂表皮層、不織布層、単層又は複数層の布層、合成樹脂又はゴムよりなる弾力性を有する発泡層、単層又は複数層の布層を接着積層してなることを特徴とする球技用ボールのための人工皮革パネル。」 
（２）「【０００５】 
　【考案が解決しようとする課題】 
　図２に示すように、
発泡層４を皮革パネルのバッキング材料として使用する
サッカーボールの皮革パネル
表皮層２及び不織布３が破れた場合、その下の層である発泡層４が機械的に極めて弱いために、この破れが簡単に拡大していき、ボールの寿命を短くしてしまう
問題がある
（３）「【０００８】 
　【実施例】 
　図１は、本考案一実施例を示し、人工皮革パネル１０は、
外側から
合成樹脂表皮層２、不織布層３、
布層１１，１２
発泡層１４
布層１５，１６の積層構造よりなり
　【０００９】 
　かかる構造であれば、ボールに鋭角的衝撃が加わり、
Ａにて示すように合成樹脂表皮層２及び不織布層３が破れたとしても、その下層の布層１１，１２が強靱であるために、これより下層に破れが拡がることはない
　
第６　当審の判断 
１　本件特許発明１について 
（１）引用発明１ 
　本件特許の優先日前に頒布された刊行物である甲第３号証（仏国特許出願公開第２４４３８５０号明細書）には、上記第５、１（１）ないし（６）の記載からみて、次の発明（以下「引用発明１」という。）が記載されているものと認められる。
　
　「サッカー等に利用されるスポーツボールに関し、
　一般に、こうしたボールは、縫合された断片で形成された外側の皮革外被材と、外被材の中に収容された膨張可能な空気袋とからなるが、かかるボールは、手工業的に手作業で製造されるため高価であるため、縫い目に似せた隆起部分を付与しようとの試みで縁端が装飾された皮革片を、空気袋の上に直接接着することによってかかるボールを工業的に製造することが考案されたが、皮革片の接着が剥がれるリスクを回避する空気袋を実現しなければならないことに加え、その外表面は、縫合されたボールと比べて低い隆起しか有しないという問題があったため、
　手工業的に実現されたボールの外観を有するボールを工業的に実現することを目的の一つとして、
　膨張可能な空気袋と、空気袋の表面に発泡ＰＶＣ等からなる柔軟で弾性を有する材料により接着された複数の皮革片からなる外被材とを備えるタイプのボールにおいて、
　前記皮革片は、空気袋の側に向くよう定められた面において椀部を形成するように構成され、この椀部に、前記柔軟で弾性を有する材料が詰め込まれ、四角形、六角形、又は他の形状を取り、中心部ではゆるやかな曲面であり、周辺端部に近い領域では急な曲面であり、この急な曲面領域から周辺端部に至る領域ではゆるやかな曲面あるいは平面であって、その裏面である空気袋側が凹面になるように曲げられ、該裏面である凹面には前記材料が完全に接着しており、
　膨張させた空気袋の上に熱重合性若しくは非熱重合性プラスチック材料か、又は単に接着剤を含浸した糸が一様に巻回されて実現された被覆材を備え、該被覆材は、事前に接着剤を付与されるか、又は皮革片の熱溶着か、あるいは非熱溶着が可能な材料が塗布され、
　前記皮革片が、空気袋の前記被覆材の全表面を覆い尽くすように、互いに突き当てられるように置かれて、その周辺端部のみで接するようにされ、前記被覆材と一体に連結された
　非常に耐久性が高く、完全に仕上げられた外観を呈し、且つ手工業的に実現されたボールにきわめて類似した表面を呈するスポーツボール。」
　
（２）本件特許発明１と引用発明１との対比 
　ア　引用発明１の「膨張可能な空気袋」、「膨張させた空気袋の上に熱重合性若しくは非熱重合性プラスチック材料か、又は単に接着剤を含浸した糸が一様に巻回されて実現された被覆材」及び「『空気袋の被覆材の全表面を覆い尽くすように、互いに突き当てられるように置かれて、その周辺端部のみで接するようにされ、前記被覆材と一体に連結された』た『複数の皮革片』」は、それぞれ、本件特許発明１の「圧搾空気が封入された球形中空体の弾性チューブ」、「チューブ表面全面に形成された補強層」及び「補強層上に接着された複数枚の皮革パネル」に相当する。
　イ　引用発明１の「サッカー等に利用されるスポーツボール」は、空気袋の表面に皮革片が接着されているから、「球技用貼りボール」であることは明らかである。
　ウ　引用発明１において、「柔軟で弾性を有する材料」は「皮革片の裏面である凹面に完全に接着している」ものであるから、引用発明１の「柔軟で弾性を有する材料」は、「皮革パネルの裏面に接着せしめられた部材」といえ、引用発明１の「椀部を形成するように構成され」、「裏面である空気袋側が凹面になるように曲げられ」た「皮革パネル（皮革片）」は、「柔軟で弾性を有する材料が詰め込まれ」ていることにより、所定の厚みを維持していることが明らかであり、その材料の量を減らすとその厚みを維持できなくなり薄くなることが明らかであるから、引用発明１の「柔軟で弾性を有する材料」は、「厚さを調整する厚さ調整部材」といえる。
　よって、引用発明１の「柔軟で弾性を有する材料」は、本件特許発明１の「皮革パネルの裏面」に「接着せしめられ」た「厚さを調整する厚さ調整部材」に相当する。
　エ　上記ア及びウによれば、引用発明１の「裏面に『厚さ調整部材（柔軟で弾性を有する材料）』が接着された『皮革パネル（皮革片）』」は、「チューブ表面全面に形成された補強層」に「厚さ調整部材（柔軟で弾性を有する材料）」により接着され、「空気袋の被覆材の全表面を覆い尽くすように、互いに突き当てられるように置かれて、その周辺端部のみで接するようにされ、前記被覆材と一体に連結された」ものであるから、引用発明１の「複数の皮革パネル（複数の皮革片）」は、補強層上に「直接」接着されたものである。
　オ　引用発明１の「皮革パネル（皮革片）」は、「空気袋の側に向くよう定められた面において椀部を形成するように構成され、この椀部に、『厚さを調整する厚さ調整部材（柔軟で弾性を有する材料）』が詰め込まれ」、「中心部ではゆるやかな曲面であり、周辺端部に近い領域では急な曲面であり、この急な曲面領域から周辺端部に至る領域ではゆるやかな曲面あるいは平面であって、その裏面である空気袋側が凹面になるように曲げられ、該裏面である凹面には前記『厚さを調整する厚さ調整部材（柔軟で弾性を有する材料）』が完全に接着して」おり、「空気袋の被覆材の全表面を覆い尽くすように、互いに突き当てられるように置かれて、その周辺端部のみで接するようにされ、前記被覆材と一体に連結された」ものであるから、本件特許発明１の「『その周縁部が前記弾性チューブ側に折り曲げられる折り曲げ部を有し、前記皮革パネルの折り曲げ部にて囲まれた前記皮革パネルの裏面に、厚さを調整する厚さ調整部材が接着せしめられ』ている『皮革パネル』」と、「その周縁部が前記弾性チューブ側に曲げられる曲げ部を有し、前記皮革パネルの曲げ部にて囲まれた前記皮革パネルの裏面に、厚さを調整する厚さ調整部材が接着せしめられ」ている点で一致し、その「急な曲面領域」が本件特許発明１の「曲げ」の箇所に相当し、引用発明１の「急な曲面領域から周辺端部に至る領域」が本件特許発明１の「曲げ部」に相当する。そして、引用発明１において、空気袋の被覆材の全表面を覆い尽くすように、互いに突き当てられるように置かれて、その周辺端部のみで接するようにされる「皮革パネル（皮革片）」は、「曲げ部（急な曲面領域から周辺端部に至る領域）」で隣接する「皮革パネル（皮革片）」と接触していることが明らかであるところ、本件特許発明１の「皮革パネル」がその「隣接する皮革パネルとの接合部」において「隣接する皮革パネル」と接触することは明らかである。
　よって、引用発明１の「皮革パネル」と本件特許発明１の「皮革パネル」とは、「その周縁部が前記弾性チューブ側に曲げられる曲げ部を有し、前記皮革パネルの曲げ部にて囲まれた前記皮革パネルの裏面に、厚さを調整する厚さ調整部材が接着せしめられ、前記皮革パネルの曲げ部において、隣接する皮革パネルと接触する」ものである点で一致する。
　カ　次に、引用発明１の「弾性チューブ側に曲げられる曲げ部」が、本件特許発明１の「弾性チューブ側に折り曲げられる折り曲げ部」といえるかどうかについて検討する。
（ア）本件特許発明１の「皮革パネル」は、「皮革パネルは、その周縁部が前記弾性チューブ側に折り曲げられる折り曲げ部を有し、前記皮革パネルの折り曲げ部にて囲まれた前記皮革パネルの裏面に、厚さを調整する厚さ調整部材が接着せしめられ、前記皮革パネルの折り曲げ部に設けられる接合部において、隣接する皮革パネルと接着されてなる」ものである。
（イ）ここで、「折り曲げる」とは「折って曲げる」ことであり、「折る」とは「直線状または平面であるはずのものに力を加えて急角度にまげる」ことである（広辞苑第五版）。
　してみると、通常「折り曲げる」とは、「直線状または平面であるはずのものに力を加えて急角度に曲げる」ことを意味するものである。
（ウ）一方、本件特許明細書には「【００２５】図２および３に示すように、皮革パネル６，６，‥‥‥は、その端部が裏面側へ略１８０度折り込まれている。それ故、皮革パネル６，６，‥‥‥の接合端部は、断面ほぼ半円形となり、縫いボールの溝と同一形状の溝７が形成される。皮革パネル６，６，‥‥‥のカバーゴム層５への接着の際、皮革パネル６，６，‥‥‥同士の突き合わせた接合部を接着してもよい。かかる構造とすれば、皮革パネル６，６，‥‥‥の接合部において両者が分離することがなく、貼り目からの水分などの侵入が防止され、さらにボール自体の膨脹が抑制されることにより耐久性が向上する。
 【００２６】皮革パネル６の端部を裏面側に折り込むばあい、その折り込み部分は、図３に示すように折り込み部８，８，‥‥‥の中間にＶ字状の切り込み９，９，‥‥‥を設ける必要がある。多角形皮革パネル６の各辺Ｓ，Ｓ，‥‥‥は、球面に沿わせるためにわずか外側へ湾曲せしめられているからである。折り込み部８，８，‥‥‥の幅は、約１〜１０ｍｍ好ましくは約３ｍｍとすることができる。」との記載がある。
（エ）また、本件特許明細書には「【００３２】図７は、別の形態を示し、皮革パネル１４の周縁部が内側へ、角部が丸みをもって略９０度折り込まれ、この折り込まれた部分にて厚さ調整部材１５の側面を被覆したものである。皮革パネル１４には、前述の皮革パネル６と同様、その裏面に補強のため織布等のバッキング材を被着してもよく、この場合、皮革パネル１４とは、かかるバッキング材を含む意味として使用される。厚さ調整部材１５は、織布１６と、衝撃緩衝部材１７の２層構造からなる。ここで、織布１６は、前述の厚さ調整部材１０と同一材料が使用でき、織布１枚又は２枚重ねた層とすることができる。また衝撃緩衝部材１７もまた、前述の衝撃緩衝部材１２と同一材料が使用できる。これらの材料は、天然ラテックス、クロロプレン（ＣＲ）系接着剤、プリウレタン（ＰＵ）系接着剤等の接着剤にて互いに接着され、かつ皮革パネル１４裏面に接着されている。厚さ調整部材１５を接着した皮革パネル１４は、前述の例と同様、カバーゴム層５上にＣＲ系接着剤にて接着されている。皮革パネル１４の全体の厚さは、２〜１０ｍｍ、このうち衝撃緩衝部材１７の厚さは、１〜７ｍｍとすることができる。かかる構造であれば、略９０度折り曲げた皮革パネル１４の周縁に溝７が形成される。この溝７が形成される皮革パネル１４の接合部が開くのを防止するために、この接合部は、ＰＵ系接着剤等にて接着される。これにより、水分が突き合わせ部から侵入するのを防ぐことができ、また接合部が開くことがないから一定の美観を長期間維持できる。また皮革パネル１４及び厚さ調整部材１５の剥離を防止でき、ボールの耐久性を向上させることができる。
 【００３３】図８〜図１０は、皮革パネル１４及び厚さ調整部材１５の接着方法を示し、例えば６角形に裁断した皮革パネル１４の裏面に厚さ調整部材１５、すなわち織布１６、続いて衝撃緩衝部材１７が積層されて天然ラテックス、ＣＲ系接着剤、ＰＵ系接着剤等の接着剤にて接着される。皮革パネル１４の周縁部には、厚さ調整部材１５を覆う折り曲げ部１９が形成されている。皮革パネル１４の各角部は、図８に示すように、折り曲げたとき尖った部分が形成されないよう、丸く裁断されている。皮革パネル１４は、折り曲げ部１９に上記同様の接着剤が塗布された後、厚さ調整部材１５の形状に略等しい形状の凹部２０を有する金型２１にて、皮革パネル１４及び厚さ調整部材１５をプレスすることにより形成される。このとき折り曲げ部１９は折れ曲がり、厚さ調整部材１５の側面を被覆してこれに接着する（図９、１０）。パネル突き合わせ部の接着は、皮革パネル１４の折り曲げ部１９と、これに隣接する皮革パネル１４の折り曲げ部１９とを接着することによりなされる。」との記載もある。
（オ）上記（ウ）の「皮革パネル６，６，‥‥‥は、その端部が裏面側へ略１８０度折り込まれている。それ故、皮革パネル６，６，‥‥‥の接合端部は、断面ほぼ半円形となり、縫いボールの溝と同一形状の溝７が形成される。」の記載及び上記エの「皮革パネル１４の周縁部が内側へ、角部が丸みをもって略９０度折り込まれ、…（略）…厚さ調整部材１５を接着した皮革パネル１４は、前述の例と同様、カバーゴム層５上にＣＲ系接着剤にて接着されている。皮革パネル１４の全体の厚さは、２〜１０ｍｍ、このうち衝撃緩衝部材１７の厚さは、１〜７ｍｍとすることができる。かかる構造であれば、略９０度折り曲げた皮革パネル１４の周縁に溝７が形成される。この溝７が形成される皮革パネル１４の接合部が開くのを防止するために、この接合部は、ＰＵ系接着剤等にて接着される。」の記載によれば、皮革パネルの端部あるいは周縁部を裏面側あるいは内側へ略１８０度又は略９０度折り込む目的は、折り込んだ後の皮革パネルの端部あるいは角部を断面ほぼ半円形または丸みをもった形状として、隣接する皮革パネルの接合部に形成される溝の形状を縫いボールの溝の形状と同一形状にすることである。
（カ）そうすると、折り込んだ後の皮革パネルの端部あるいは角部の断面ほぼ半円形または丸みをもった形状とは、皮革パネルの表面あるいは外面の形状を意味していることが明らかであるところ、折り込んだ後の皮革パネルの端部あるいは角部の表面あるいは外面の形状を、隣接する皮革パネルの接合部に形成される溝の形状が縫いボールの溝の形状と同一形状となるような断面ほぼ半円形または丸みをもった形状となすためには、折り込んだ後の皮革パネルの端部あるいは角部の裏面あるいは内面の形状は、折り目を挟んで中央部の面と周縁部の面とが区別される程度に急角度で曲がっている必要があるものと解される。
（キ）上記（オ）及び（カ）からすれば、本件特許発明１の「皮革パネル」における「その周縁部が前記弾性チューブ側に折り曲げられる折り曲げ部を有し」との発明特定事項を備えているといえるためには、完成した「球技用貼りボール」の「弾性チューブ表面全体に形成された補強層上」に「接着された複数の皮革パネル」の「周縁部」が弾性チューブ側に曲がっており、その曲がっている箇所において、皮革パネルの裏面（曲げる前の裏面）に、曲げたことによる折り目ができ、該裏面がその折り目を挟んで中央部の面と周縁部の面とに区別される程度に皮革パネルの裏面が急角度で曲がっている必要があるものと解され、そのようになっている場合に、皮革パネルの周縁部が弾性チューブ側に曲げられた箇所は「折り曲げられ」たものであるといえる。
（ク）一方、引用発明１の「皮革パネル（皮革片）」は、「中心部ではゆるやかな曲面であり、周辺端部に近い領域では急な曲面であり、この急な曲面領域から周辺端部に至る領域ではゆるやかな曲面あるいは平面であって、その裏面である空気袋側が凹面になるように曲げられ」たものであるから、その「曲げ」の箇所である「急な曲面領域」の裏面は、甲第３号証のＦＩＧ．４からみても、「曲げたことによる折り目」ができているとはいえない。
　したがって、引用発明１は、「折り目を挟んで中央部の面と周縁部の面とに区別される程度に皮革パネルの裏面が急角度で曲がっている」とはいえないから、上記（キ）に照らして、引用発明１の「弾性チューブ側に曲げられる曲げ部」は、皮革パネルの周縁部が「折り曲げられ」たものではない。
　よって、引用発明１の「曲げ部」は「折り曲げ部」ではない。
　キ　したがって、本件特許発明１と引用発明１とは、
 「圧搾空気が封入された球形中空体の弾性チューブと、
 該チューブ表面全面に形成された補強層と、
 該補強層上に直接接着された複数枚の皮革パネルとを備えた球技用ボールにおいて、
 前記皮革パネルは、その周縁部が前記弾性チューブ側に曲げられる曲げ部を有し、前記皮革パネルの曲げ部にて囲まれた前記皮革パネルの裏面に、厚さを調整する厚さ調整部材が接着せしめられ、
 前記皮革パネルの曲げ部において隣接する皮革パネルと接触する球技用貼りボール。」 
 の点（以下「一致点」という。）で一致し、次の点で相違している。
　
 相違点１：
　本件特許発明１では、前記皮革パネルの周縁部が「折り曲げられ」たものであって、前記「曲げ部」が「折り曲げ部」であるのに対して、引用発明１では、前記皮革パネルの周縁部は「折り曲げられ」たものではなく、前記「曲げ部」は「折り曲げ部」ではない点。
　
 相違点２：
　本件特許発明１では、皮革パネルが、該皮革パネルの折り曲げ部に設けられる接合部において、隣接する皮革パネルと接着されているのに対して、引用発明１では、隣接する皮革パネル同士は接触しているものの、接着されていない点。
　
（３）上記相違点１及び２についての判断
　上記相違点１及び２について検討する。
　ア　相違点１について
（ア）甲第４号証には、「周縁部において互いに接続された、特に縫合された多数の個々の要素１からなるボールカバーの内側に空気注入式のブラダーが設けられたサッカーボールにおいて、
　前記個々の要素１は、その周縁部を内側へ略９０度折り曲げた折り曲げ部４があり、その外側が接合面５となっており、隣接する個々の要素１は、この接合面５で互いに接合されており、吸水をできるだけ簡素でかつ低廉に低減させることができるように、隣接する個々の要素１の部位４の接合面５の間には、シーリング部材６が設けられ、部位４のところで糸７によって縫い合わされて結合されているボールカバーを備えたサッカーボール。」（上記第５、２（１）ないし（３）参照。）の発明（以下「引用発明２」という。）が記載されているものと認められる。
（イ）その周縁部が内側（弾性チューブ側）に折り曲げられる折り曲げ部を有する皮革パネルからなる縫いボールは、本件特許の優先日前に周知である（例．甲第４号証（上記第５、２（１）ないし（３）及びＦｉｇ．２参照。「パネル２及び３の個々の要素１」が「皮革パネル」に相当する。）、甲第７号証（上記第５、５（１）ないし（３）及び第三図参照。「皮革片（イ）（イ）」、「折り返し」及び「ゴム球袋（ヘ）」が、それぞれ「皮革パネル」、「折り曲げ」及び「弾性チューブ」に相当する。）以下「周知技術１」という。）。
（ウ）しかるに、引用発明１は、従来の貼りボールにおける「その外表面は、縫合されたボールと比べて低い隆起しか有しないという問題」を解決するために、「皮革パネル（皮革片）」を「空気袋の側に向くよう定められた面において椀部を形成するように構成され、この椀部に、前記柔軟で弾性を有する材料が詰め込まれ、四角形、六角形、又は他の形状を取り、中心部ではゆるやかな曲面であり、周辺端部に近い領域では急な曲面であり、この急な曲面領域から周辺端部に至る領域ではゆるやかな曲面あるいは平面であって、その裏面である空気袋側が凹面になるように曲げられ、該裏面である凹面には前記材料が完全に接着」したものとしているところ、例えば、引用発明２又は周知技術１の「折り曲げ部」の構成を引用発明１の皮革片の急な曲面領域から周辺端部に至る領域に適用すると、その「折り曲げ」の箇所において、相当大きな角度で曲げられることになり、前記箇所よりも中心部に近い内側の部分は平坦に近い状態になってしまうから、大きな隆起を形成することができなくなり、引用発明１の「隆起部分」の形成という目的にそぐわない。
（エ）また、引用発明１のボールはいわゆる貼りボールであるのに対し、引用発明２及び周知技術１のボールはいずれもいわゆる縫いボールであり、引用発明２及び周知技術１の「折り曲げ部」はいずれも縫い合わせのためのものと認められるところ、縫いボールにおいて、「折り曲げ」は、縫うことによって必然的に生じるものであり、両者は一体不可分の構成ということができるから、縫いボールの発明である引用発明２又は周知技術１の「折り曲げ部」の構成を貼りボールの発明である引用発明１に適用する理由がない。
（オ）上記（ウ）及び（エ）より、引用発明１において、本件特許発明１の上記相違点１に係る構成となすことが、当業者が引用発明２又は周知技術１に基づいて容易になし得たこととはいえない。
　イ　相違点２について
（ア）複数の皮革パネルを下層に接着して皮革パネルで球体を構成して製造する球技用ボールにおいて、隣接する皮革パネル同士も接着することは、本件特許の優先日前に周知である（例．甲第５号証（上記第５、３（１）ないし（３）及び第２図参照。「皮革片３」及び「整形層２」がそれぞれ「皮革パネル」及び「下層」に相当する。）、甲第６号証（上記第５、４及び第６図参照。「皮革素子」及び「薄帯９」がそれぞれ「皮革パネル」及び「下層」に相当する。）以下「周知技術２」という。）。
（イ）ここで、引用発明１の曲げ部において、隣接する「皮革パネル（皮革片）」同士を接着するためには、両皮革パネルが接触する領域がある程度の広がりを持つ必要があると考えられるところ、そのようになすためには、前記「皮革パネル」の周縁部に引用発明２又は周知技術１における縫いボールの折り曲げ部のような部分を形成する必要があると認められる。
（ウ）しかるに、上記ア（ウ）のとおり、引用発明１において、引用発明２又は周知技術１に係る縫いボールの折り曲げ部の構成を採用することが、引用発明１の目的にそぐわないものである以上、たとえ隣接する「皮革パネル（皮革片）」同士を接着することが周知技術であるとしても、皮革パネルに折り曲げ部のような部分を形成して該部分に「接合部」を設け、該接合部において隣接する皮革パネル同士を接着するようになすこと、すなわち、本件特許発明１の上記相違点２に係る構成となすことが容易ということはできない。
　ウ　上記ア及びイによれば、引用発明１において、上記相違点１及び２に係る本件補正発明１の構成となすことが、引用発明２、周知技術１ないし周知技術２に基づいて当業者が容易に想到し得たということはできない。
　エ　まとめ
　以上のとおりであるから、本件特許発明１は、甲第３号証及び甲第４号証に記載された発明に基づいて、当業者が容易に発明をすることができたものであるとすることはできず、また、甲第３号証に記載された発明及び甲第５ないし８号証に例示された周知技術に基づいて、当業者が容易に発明をすることができたものであるとすることもできない。
　よって、本件特許発明１は特許法第２９条第２項の規定に違反して特許されたものではないから、請求人が主張する無効理由１によっては、本件特許発明１についての特許を無効にすることはできない。
　
２　本件特許発明２ないし４、６ないし９について 
（１）請求項２ないし４、６ないし９は、いずれも、直接的又は間接的に請求項１を引用しており、それぞれ請求項１に係る発明を特定する事項を更に限定したものである（上記第２参照。）。
　したがって、本件特許発明２ないし４、６ないし９は、いずれも、本件特許発明１の構成要素をすべて含み更に限定を付加したものに相当する。
（２）そうすると、上記１（３）エで述べたとおり、本件特許発明１が、甲第３号証及び甲第４号証に記載された発明に基づいて、当業者が容易に発明をすることができたものであるとすることはできず、また、甲第３号証に記載された発明及び甲第５ないし８号証に例示された周知技術に基づいて、当業者が容易に発明をすることができたものであるとすることもできない以上、同様の理由により、本件特許発明２ないし４、６ないし９も、当業者が容易に発明をすることができたものであるとすることはできない。
（３）よって、本件特許発明２ないし４、６ないし９は特許法第２９条第２項の規定に違反して特許されたものではないから、請求人が主張する無効理由２ないし８によっては、本件特許発明２ないし４、６ないし９についての特許を無効にすることはできない。
　
第７　むすび 
　以上のとおりであるから、請求人の主張及び証拠方法によっては、本件特許の請求項１ないし４、６ないし９に係る発明についての特許を無効とすることができない。
　
　審判に関する費用については、特許法第１６９条第２項の規定で準用する民事訴訟法第６１条の規定により、請求人が負担すべきものとする。
　
　よって、結論のとおり審決する。